(57)【要約】  地上送受信装置５から車上送受信装置３に送信された映像データ６０を表示器１に送信する制御部１３を備えた車両内情報提供装置２であって、映像の有効期間を広告毎に対応して格納する番組表４０、地上送受信装置５から車上送受信装置３に送信された音声データ６１、および音声データ６１を含む映像データ６０を記憶する記憶部８と、映像データ６０に音声データ６１が含まれていない場合は番組表４０に音声フラグ４４として１以上の値を付与し、映像データ６０に音声データ６１が含まれている場合は番組表４０に音声フラグ４４として０を付与する音声認識部２３と、を備え、制御部１３は、音声フラグ４４に対応した音声データ６１をラジオ輻射装置２０に送出。
2010109583.tif 000002
【特許請求の範囲】
【請求項１】
地上送受信装置から車上送受信装置に送信された列車内広告の映像データを列車内の表示器に送信する制御部を備えた車両内情報提供装置であって、
広告映像の有効期間を広告毎に対応して格納する番組表、前記地上送受信装置から前記車上送受信装置に送信された第１の音声データ、および第２の音声データを含む前記映像データを記憶する記憶部と、
前記映像データに前記第１の音声データが含まれているか否かを判別し、第１の音声データを含む映像データと第１の音声データを含まない映像データとを識別する情報を前記番組表に付与する音声認識部と、
を備え、
前記制御部は、前記第１の音声データまたは前記第２の音声データを無線信号として送信する無線送信部に対して、前記第１の値または前記第２の値に対応する前記第１の音声データまたは前記第２の音声データを送出すること、
を特徴とする車両内情報提供装置。
【請求項２】
前記音声認識部は、前記映像データに前記第２の音声データが含まれていない場合、前記第１の音声データを送出させることを示す第１の値を前記番組表に付与し、前記映像データに前記第２の音声データが含まれている場合、前記第２の音声データを送出させることを示す第２の値を前記番組表に付与することを特徴とする請求項１に記載の車両内情報提供装置。
【請求項３】
前記音声認識部は、
前記映像データの再生時間が終了するまでに、前記第２の音声データの音声レベルが予め設定された閾値以上を示すか否か判別し、
前記音声レベルが前記閾値以上を示さない場合、前記第１の値を前記番組表に付与し、
前記音声レベルが前記閾値以上を示した場合、前記第２の値を前記番組表に付与することを特徴とする請求項１に記載の車両内情報提供装置。
【請求項４】
前記記憶部は、
複数の前記第１の音声データを識別番号毎に対応して格納する音声リストを記憶し、
前記音声認識部は、前記識別番号をランダムに選択し、選択された前記識別番号を前記第１の値として前記番組表に付与することを特徴とする請求項１に記載の車両内情報提供装置。
【請求項５】
前記記憶部は、再生される音声を意図的に無音にする場合、無音のファイルを格納するとともに、前記音声リストに当該無音のファイルに対応する音声ファイル名を記録することを特徴とする請求項１に記載の車両内情報提供装置。
【請求項６】
前記制御部は、前記音声リストに複数の音声ファイル名が登録されている場合、ファイル番号をランダムに選択し、選択された音声ファイル名をランダムに選択して再生することを特徴とする請求項１に記載の車両内情報提供装置。
【請求項７】
前記制御部は、映像データの映像再生時間の長さが、ランダムに選ばれた音声データよりも長い場合には、ランダムに選ばれた音声データの再生が終了した後に、映像データの再生終了まで他の音声データまたは同一の音声データを最初から続けて再生することを特徴とする請求項１に記載の車両内情報提供装置。
【請求項８】
前記地上送受信装置は、前記第１の値が付与された前記番組表を前記車上送受信装置に送信することを特徴とする請求項１に記載の車両内情報提供装置。
【請求項９】
列車内広告の映像データを車上送受信装置に送信する地上送受信装置と、前記映像データを列車内の表示器に送信する制御部を備えた車両内情報提供装置と、前記地上送受信装置からの前記映像データを前記車両内情報提供装置に送信する車上送受信装置とを有した車両内情報提供システムであって、
前記車両内情報提供装置は、
広告映像の有効期間を広告毎に対応して格納する番組表、前記地上送受信装置から前記車上送受信装置に送信された第１の音声データ、および第２の音声データを含む前記映像データを記憶する記憶部と、
前記映像データに前記第１の音声データが含まれているか否かを判別し、第１の音声データを含む映像データと第１の音声データを含まない映像データとを識別する情報を前記番組表に付与する音声認識部と、
を備え、
前記制御部は、前記第１の音声データまたは前記第２の音声データを無線信号として送信する無線送信部に対して、前記第１の値または前記第２の値に対応する前記第１の音声データまたは前記第２の音声データを送出すること、
を特徴とする車両内情報提供システム。
【請求項１０】
前記音声認識部は、前記映像データに前記第２の音声データが含まれていない場合、前記第１の音声データを送出させることを示す第１の値を前記番組表に付与し、前記映像データに前記第２の音声データが含まれている場合、前記第２の音声データを送出させることを示す第２の値を前記番組表に付与することを特徴とする請求項９に記載の車両内情報提供システム。
【請求項１１】
地上送受信装置から車上送受信装置に送信された列車内広告の映像データを列車内の表示器に送信する制御部を備えた車両内情報提供装置で実施される音声データ提供方法であって、
広告映像の有効期間を広告毎に対応して格納する番組表、前記地上送受信装置から前記車上送受信装置に送信された第１の音声データ、および第２の音声データを含む前記映像データを記憶するステップと、
前記映像データに前記第１の音声データが含まれているか否かを判別し、第１の音声データを含む映像データと第１の音声データを含まない映像データとを識別する情報を前記番組表に付与する音声認識ステップと、
前記第１の音声データまたは前記第２の音声データを無線信号として送信する無線送信部に対して、前記第１の値または前記第２の値に対応する前記第１の音声データまたは前記第２の音声データを送出するステップと、
を含むことを特徴とする音声データ提供方法。
【請求項１２】
前記音声認識ステップは、前記映像データに前記第２の音声データが含まれていない場合、前記第１の音声データを送出させることを示す第１の値を前記番組表に付与し、前記映像データに前記第２の音声データが含まれている場合、前記第２の音声データを送出させることを示す第２の値を前記番組表に付与するステップを含むこと、
を特徴とする請求項１１に記載の音声データ提供方法。
【発明の詳細な説明】
【技術分野】
【０００１】
この発明は、広告情報を列車内の乗客に提供する車両内情報提供装置、車両内情報提供システム、および音声データ提供方法に関し、特に、広告映像に音声付動画および音声無しの動画または静止画が混在している場合でも音声を提供する車両内情報提供装置、車両内情報提供システム、および音声データ提供方法に関するものである。
【背景技術】
【０００２】
近年、人々の生活パターンや行動パターンの多様化により、マスメディア等による広告映像は、これらの多様化した人々に対して多大な影響を与えている。また、近時においては、インターネットの普及により、人々は新たな情報を得ることに渇望しているため、例えば、列車内に掲示または表示される広告映像は、広告としての効果が大いに期待されている。特に、列車内は閉鎖された空間であり、乗客の行動が制約されるため、広告としての効果が特に大きいと考えられており、その需要が急速に拡大している。この需要を満たすため、現在、鉄道車両内の扉上の鴨居部に設置されたＬＣＤディスプレイを表示媒体として、行き先や停車駅、現在走行中の位置、および遅延情報などの運行情報とともに、動画や静止画などの広告映像を流すサービスが行われている。【０００３】
広告主から出稿される広告映像には、音声付の動画または静止画や音声無しの動画または静止画が混在しているが、広告映像に付随する音声は、運行情報や行先案内などの放送の妨げになる場合や、音声付の広告から音声無しの広告に切り替わった際に乗客が放送故障ではないかと錯覚する場合があるため、無音あるいは字幕で提供されることが多い。しかしながら、その一方で、乗客に強くアピールするため、テレビＣＭ広告などを流用した広告映像を、音声付きで提供したいというニーズも存在する。【０００４】
このようなニーズを満たす手段として、下記特許文献１に示される広告システムは、車両内に設置された無線配信装置から出力されるラジオ電波を利用して、乗客の携帯ラジオなどに音声を配信する方法が示されている。【０００５】
【特許文献１】特開２００６−２５９２５３号公報
【発明の開示】
【発明が解決しようとする課題】
【０００６】
しかしながら、上記特許文献１に代表される従来技術では、音声付の広告と音声無しの広告とが混在している場合には、音声が急に無音になることがあるため、乗客に不快感を与える場合があるという課題があった。【０００７】
本発明は、上記に鑑みてなされたものであって、音声付の広告映像と音声無しの広告映像が混在している場合でも、乗客に不快感を与えずに音声を提供する車両内情報提供装置、車両内情報提供システム、および音声データ提供方法を得ることを目的とする。
【課題を解決するための手段】
【０００８】
上記目的を達成するため、この発明は、地上送受信装置から車上送受信装置に送信された列車内広告の映像データを列車内の表示器に送信する制御部を備えた車両内情報提供装置であって、広告映像の有効期間を広告毎に対応して格納する番組表、前記地上送受信装置から前記車上送受信装置に送信された第１の音声データ、および第２の音声データを含む前記映像データを記憶する記憶部と、前記映像データに前記第１の音声データが含まれているか否かを判別し、第１の音声データを含む映像データと第１の音声データを含まない映像データとを識別する情報を前記番組表に付与する音声認識部と、を備え、前記制御部は、前記第１の音声データまたは前記第２の音声データを無線信号として送信する無線送信部に対して、前記第１の値または前記第２の値に対応する前記第１の音声データまたは前記第２の音声データを送出すること、を特徴とする。
【発明の効果】
【０００９】
本発明によれば、映像データに音声データが含まれているか否かを判断し番組表に所定の値を付与する音声認識部と、所定の値に基づいてラジオ輻射装置に音声データを送出する制御部とを備えるようにしたので、音声付の広告映像と音声無しの広告映像とが混在している場合でも、乗客に不快感を与えずに音声を提供することができるという効果を奏する。
【図面の簡単な説明】
【００１０】
【図１】図１は、実施の形態１にかかる車両内情報提供装置および車両内情報提供装置に接続される機器の構成の一例を示す図である。
【図２】図２は、地上送受信装置および地上送受信装置に接続される機器の構成の一例を示す図である。
【図３】図３は、車両内情報提供装置の構成の一例を示す図である。
【図４】図４は、番組表の一例を示す図である。
【図５】図５は、映像データが音声付映像データではない場合に、所定の音声を再生するための音声リストの一例を示す図である。
【図６】図６は、音声フラグを決定するフローを示すフローチャートである。
【図７】図７は、音声フラグの値に応じて再生される音声を決定するフローを示すフローチャートである。
【符号の説明】
【００１１】
１  表示器
２  車両内情報提供装置
３  車上送受信装置
５  地上送受信装置
６  情報処理装置
７  端末装置
８  記憶部
１３  制御部
１４  番組表格納部
１６  映像データ格納部
２０  ラジオ輻射装置（無線送信部）
２１  音声ファイル格納部
２２  音声リスト格納部
２３  音声認識部
４０  番組表
４１  有効期間（開始）
４２  有効期間（終了）
４３  映像データ名
４４  音声フラグ
５０  音声リスト
５１  ファイル番号（識別番号）
５２  音声ファイル名
６０  映像データ
６１  音声データ
【発明を実施するための最良の形態】
【００１２】
以下に、本発明にかかる車両内情報提供装置、車両内情報提供システム、および音声データ提供方法の実施の形態を図面に基づき詳細に説明する。なお、この実施の形態によりこの発明が限定されるものではない。【００１３】
実施の形態１．
（車両内情報提供システムの構成）
図１は、実施の形態１にかかる車両内情報提供装置および車両内情報提供装置に接続される機器の構成の一例を示す図である。図１に示される車両には、表示器１、車両内情報提供装置２、および車上送受信装置３が搭載される。表示器１は、車両内情報提供装置２から広告に関する映像データ６０あるいは運行情報を受信し、列車内の乗客にこれらの映像を提供するものである。【００１４】
図２は、地上送受信装置および地上送受信装置に接続される機器の構成の一例を示す図である。地上送受信装置５は、例えば駅プラットホームなどに設置されており、後述する番組表４０などを処理する情報処理装置６に接続されている。情報処理装置６には、パソコンなどの端末装置７が接続されており、番組表４０の更新操作などをするときに用いられる。このように、本実施の形態にかかる車両内情報提供システムは、表示器１、車両内情報提供装置２、車上送受信装置３、地上送受信装置５、情報処理装置６、および端末装置７を有して構成されている。なお、情報処理装置６および端末装置７は、駅以外の、例えば広告制作会社の建物内に設けられ、地上送受信装置５と接続されている。【００１５】
図３は、車両内情報提供装置の構成の一例を示す図であり、図４は、番組表の一例を示す図であり、図５は、映像データが音声付映像データではない場合に、所定の音声を再生するための音声リストの一例を示す図である。【００１６】
図４において、番組表４０には、映像データ６０の放映開始日時を示す有効期間（開始）４１、映像データ６０の放映終了日時を示す有効期間（終了）４２、および音声フラグ４４が、映像データ６０のタイトルを表わす映像データ名４３毎にＮｏ（ナンバー）欄のシリアル番号の順で記録されている。この音声フラグ４４は、制御部１３がラジオ輻射装置２０に送出する音声データ６１のファイルを判別するために使用される。【００１７】
図５において、音声リスト５０には、上述した音声フラグ４４の値とリンクし、かつ、音声ファイル名５２の識別番号であるファイル番号５１と、音声ファイル名５２とが関連付けて記録されている。音声ファイル名５２に対応する音声ファイルは、図３に示される音声ファイル格納部２１に格納されている。この音声フラグ４４は、ラジオ輻射装置２０で再生される音声データ６１の種類を、制御部１３に判別させるために使用される。【００１８】
なお、番組表４０および音声リスト５０の内容や項目数は、これらに限定されるものではない。また、番組表４０は、シリアル番号を降順で設定し、音声フラグ４４の付与を判定するように構成してもよい。【００１９】
（車両内情報提供装置の構成）
図３において、車両内情報提供装置２は、制御部１３、無線送信部であるラジオ輻射装置２０、記憶部８、および音声認識部２３を有して構成され、記憶部８は、番組表格納部１４、映像データ格納部１６、音声ファイル格納部２１、および音声リスト格納部２２を有して構成されている。なお、ラジオ輻射装置２０は、車両内情報提供装置２の内部に構成されているが、表示器１と同様に、車両内情報提供装置２の外部に設置してもよい。【００２０】
車上送受信装置３は、例えば列車の先頭車両に搭載されており、駅プラットホームに列車が停車したときに、地上送受信装置５から送信された番組表４０、映像データ６０、第１の音声データである音声データ６１、および音声リスト５０を受信する。車両内情報提供装置２は、車上送受信装置３を介して受信したこれらの情報を、番組表格納部１４、映像データ格納部１６、音声ファイル格納部２１、および音声リスト格納部２２にそれぞれ格納する。【００２１】
なお、映像データ６０には、音声付の広告映像と音声無しの広告映像とが混在して含まれていてもよく、広告映像には、動画だけでなく静止画も含まれていてもよい。また、地上送受信装置５から送信された映像データ６０には、第２の音声データである音声データ６１が含まれている場合もある。音声データ６１は、例えば、ＭＰＥＧ形式で圧縮されたデータである。【００２２】
（音声認識部）
音声認識部２３は、番組表格納部１４から番組表４０を取り込み、番組表４０の映像データ名４３に対応する映像データ６０を映像データ格納部１６から取り込む。音声認識部２３は、映像データ６０が静止画であるか動画であるかを判別する。動画の場合、音声認識部２３は、映像データ６０に音声データ６１が含まれているか否かを判別する。【００２３】
音声データ６１が含まれている場合、音声認識部２３は、制御部１３およびラジオ輻射装置２０を介して再生された音声データ６１の音声レベルが、映像データ６０の映像再生時間ｍ（秒）の間に、所定の閾値以上を示すか否かを判別する。これは、映像データ６０に音声データ６１が付属していたにも関わらず、音声ファイル格納部２１内の音声データ６１を再生してしまうことを防ぐとともに、音声データ６１が付属している場合であっても音声レベルが小さいときに放送故障として認識されることを防ぐためである。【００２４】
所定の閾値以上を示した場合、映像データ６０は音声付であると判断する。そして、音声認識部２３は、映像データ６０に付属する音声データ６１を送出させることを示す第１の値である０を音声フラグ４４に付与する。音声データ６１の音声レベルが所定の閾値以上を示さない場合、音声ファイル格納部２１からの音声データ６１を送出させることを示す第２の値である１以上の値を音声フラグ４４に付与する。【００２５】
映像データ６０に音声データ６１が含まれていない場合、音声認識部２３は、１以上の値を音声フラグ４４に付与する。音声認識部２３は、音声フラグ４４を付与した番組表４０を再び番組表格納部１４に格納する。なお、上述した第１の値および第２の値は、０または１以上に限定されるものではない。【００２６】
（制御部）
制御部１３は、番組表格納部１４に格納された番組表４０を読み出し、番組表４０に示されたシリアル番号の順に、映像データ６０の有効期間（開始）４１、有効期間（終了）４２、および音声フラグ４４を判別する。有効期間（開始）４１および有効期間（終了）４２は、広告映像の映像データ６０を表示器１に再生するか否かを判定する際に使用される。【００２７】
また、制御部１３は、番組表４０を読み込み、ｎ番目の映像データ６０が有効期限内であるか否かを判定し、有効期間内の映像データ６０に関する音声フラグ４４の値を判定する。音声フラグ４４が０または無値の場合、制御部１３は、映像データ格納部１６から映像データ６０を読み出し、当該映像データ６０を表示器１に送出するとともに、映像データ６０に含まれる音声データ６１をラジオ輻射装置２０に送出する。ラジオ輻射装置２０は、音声データ６１を無線信号として乗客の音声再生装置に送信する。【００２８】
一方、音声フラグ４４が１以上の値の場合、制御部１３は、映像データ名４３に対応する映像データ６０を映像データ格納部１６から読み出し、当該映像データ６０を表示器１に送出する。さらに、音声リスト格納部２２から音声リスト５０を読み出し、音声フラグ４４の値に対応するファイル番号５１を選択し、選択されたファイル番号５１の音声データ６１を、ラジオ輻射装置２０に送出する。【００２９】
（音声認識部の動作）
図６は、音声フラグを決定するフローを示すフローチャートである。ｎ＝１番目の映像データ６０のとき（ステップＳ１０）、音声認識部２３は、番組表格納部１４から番組表４０を取り込むとともに映像データ格納部１６から映像データ６０を取り込み、映像再生時間ｍ（秒）を取得する（ステップＳ１１）。【００３０】
次に、音声認識部２３は、映像データ６０が静止画であるか動画であるかを判別し、動画であると判定した場合（ステップＳ１２，Ｎｏ）、映像データ６０に音声データ６１が含まれているか否かを判別する。音声データ６１が含まれている場合（ステップＳ１３，Ｙｅｓ）、表示器１にｎ＝１番目の映像データ６０を再生させる（ステップＳ１４）。なお、上述したｎは、変数であり、映像データ名４３を識別するため番組表４０に付与された番号を示している。【００３１】
次に、音声認識部２３は、音声データ６１の音声レベルが、タイマーによって映像再生時間ｍを経過するまでに、所定の閾値以上を示すか否か判別する。音声データ６１の音声レベルが所定の閾値以上を示した場合（ステップＳ１５，Ｙｅｓ）、音声があると判断して音声フラグ４４として０を記録し（ステップＳ１６）、音声データ６１の音声レベルが所定の閾値以上を示さない場合（ステップＳ１５，Ｎｏ）、ステップＳ１７の処理を実行する。【００３２】
映像再生時間ｍが経過するまでタイマーカウントアップを行ない（ステップＳ１７，ＮｏおよびステップＳ１９）、ステップＳ１５からのプロセスを繰り返す。また、映像再生時間ｍが経過した場合（ステップＳ１７，Ｙｅｓ）、音声認識部２３は、音声がないと判断し音声フラグ４４として１以上の値を記録し（ステップＳ１８）、ｎに１をインクリメントする（ステップＳ２０）。また、ステップＳ１６において、音声フラグ４４として０を記録した場合にもｎに１をインクリメントする（ステップＳ２０）。ｎに１がインクリメントされた結果、ｎの値が番組表４０のシリアル番号の最大値を超えた場合（ステップＳ２１,Ｙｅｓ）、最大値を超えている映像データ名４３をｎ＝１番目として、ステップＳ１０からのプロセスを繰り返す。ｎの値が番組表４０のシリアル番号の最大値を超えていない場合（ステップＳ２１,Ｎｏ）、２番目以降の映像データ６０について、ステップＳ１１からのプロセスを繰り返す。【００３３】
ステップＳ１２において、映像データ６０が静止画の場合（ステップＳ１２，Ｙｅｓ）、音声認識部２３は、音声フラグ４４に１以上の値を記録する。（ステップＳ１８）また、ステップＳ１３において、映像データ６０に音声データ６１が含まれていない場合（ステップＳ１３，Ｎｏ）、音声認識部２３は、音声フラグ４４に１以上の値を記録する（ステップＳ１８）。【００３４】
この結果、番組表４０には、何らかの音声フラグ４４が付与され、車両内情報提供装置２は、映像データ６０および音声データ６１の再生を行う。なお、音声認識部２３は、ステップＳ１６において、映像再生時間ｍが経過するまで音声レベルを監視するように構成されているが、映像再生時間ｍの代わりに、予め設定された任意の時間を用いてもよい。【００３５】
（制御部の動作）
図７は、音声フラグの値に応じて再生される音声を決定するフローを示すフローチャートである。ｎ＝１番目の映像データ６０のとき（ステップＳ３０）、制御部１３は、番組表格納部１４から番組表４０を取り込むとともに、映像データ格納部１６から映像データ６０を取り込む（ステップＳ３１）。制御部１３は、映像データ６０が有効期間内である場合（ステップＳ３２，Ｙｅｓ）、音声フラグ４４の値を確認する。一方、映像データ６０が有効期間内ではない場合（ステップＳ３２，Ｎｏ）、制御部１３は、ステップＳ３６からのプロセスを実行する。【００３６】
次に、音声フラグ４４の値が１以上の場合（ステップＳ３３，Ｎｏ）、制御部１３は、映像データ６０を映像データ格納部１６から読み出し、映像データ６０を表示器１に送出する。さらに、制御部１３は、音声リスト格納部２２から音声リスト５０を読み出し、音声フラグ４４の値に対応するファイル番号５１を選択し、選択されたファイル番号５１に対応する音声ファイルを、ラジオ輻射装置２０に送出する（ステップＳ３４）。【００３７】
一方、音声フラグ４４の値が０の場合（ステップＳ３３，Ｙｅｓ）、制御部１３は、映像データ名４３に対応する映像データ６０を映像データ格納部１６から読み出し、当該映像データ６０を表示器１に送出する。さらに、当該映像データ６０に含まれる音声をラジオ輻射装置２０に送出する（ステップＳ３５）。【００３８】
次に、制御部１３は、ｎに１をインクリメントする（ステップＳ３６）。ｎに１がインクリメントされた結果、ｎの値が番組表４０のシリアル番号の最大値を超えた場合（ステップＳ３７,Ｙｅｓ）、制御部１３は、最大値を超えている映像データ名４３をｎ＝１番目として、ステップＳ３０からのプロセスを繰り返す。また、ｎの値が番組表４０のシリアル番号の最大値を超えていない場合（ステップＳ３７,Ｎｏ）、制御部１３は、２番目以降の映像データ６０について、ステップＳ３１からのプロセスを繰り返す。【００３９】
なお、再生される音声を意図的に無音にする場合には、音声ファイル格納部２１に無音のファイルを格納するとともに、音声リスト５０に当該無音のファイルに対応する音声ファイル名５２を記録する。【００４０】
なお、音声リスト５０に複数の音声ファイル名５２が登録されている場合、音声認識部２３は、これらのファイル番号５１をランダムに選択し、選択されたファイル番号５１を１以上の値として音声フラグ４４に付与してもよい。また、制御部１３が音声ファイル名５２をランダムに選択して再生するように構成してもよい。その結果、車両内情報提供装置２は、様々な音声を再生できるため、乗客を飽きさせることなく映像と音声を楽しんでもらうことができる。このようにすることにより、音声の再生要否を、車内の状況（混雑度合等）や、時間帯等に応じて、よりきめ細かく設定することができる。【００４１】
なお、映像データ６０の映像再生時間ｍの長さが、ランダムに選ばれた音声データ６１よりも長い場合には、ランダムに選ばれた音声データ６１の再生が終了した後に、映像データ６０の再生終了まで他の音声データ６１、または同一の音声データ６１を最初から続けて再生するように構成してもよい。【００４２】
以上に説明したように、本実施の形態にかかる車両内情報提供装置２は、映像データ６０に音声データ６１が含まれている否かを判断して、音声フラグ４４に０または１以上の値を付与する音声認識部２３と、表示器１に映像データ６０を送出するとともに、ラジオ輻射装置２０に音声フラグ４４に対応した音声データ６１を送出する制御部１３とを備えるようにしたので、音声付の広告映像と音声無しの広告映像とが混在している場合でも、乗客に音声を提供することが可能である。その結果、音声付の広告映像が音声無しの広告映像に切り替わった場合でも、乗客に不快感を与えることがなくなると共に、乗客がラジオ電波の周波数を戸惑うことなくチューニングすることができる。また、適切な音声が付与されている広告映像に、無関係な音声を付与してしまうということを回避できる。さらに、音声無しの広告映像用に音声データ６１を用意する手間が省けるため、コンテンツ製作者の負担を軽減することができる。【００４３】
実施の形態２．
実施の形態２にかかる車両内情報提供システムは、地上側の情報処理装置６において、予め音声フラグ４４に０または１以上の値を付与し、音声フラグ４４の値が付与された番組表４０を車上送受信装置３に送信するものである。以下、実施の形態１の各図を用いて説明する。【００４４】
図２において、情報処理装置６には番組表４０および音声リスト５０が管理されており、当該番組表４０の音声フラグ４４の値は、端末装置７によって任意に付与することが可能である。そして、列車が地上送受信装置５を備えた所定の駅に停車した場合、地上送受信装置５と車上送受信装置３の接続が確立したときに、地上送受信装置５は、更新された番組表４０、音声リスト５０、映像データ６０、および音声データ６１を車上送受信装置３に送出する。車両内情報提供装置２は、これらの情報を格納し、実施の形態１における所定の動作に従って、音声を再生する。【００４５】
音声フラグ４４に０または１以上の値が記録されているため、音声認識部２３は、番組表４０に音声フラグ４４の値を記録する動作を行う必要がない。すなわち、実施の形態１では、車両内情報提供装置２が起動した時点では、音声フラグ４４の値が設定されていないため、地上送受信装置５から車両内情報提供装置２に広告映像が送信されたときに、番組表４０への音声フラグ４４の書込み時間が発生するが、本実施の形態によれば、そのような時間を無くすことが可能である。【００４６】
なお、実施の形態１および２に示した車両内情報提供装置および車両内情報提供システムの構成は、本発明の内容の一例を示すものであり、更なる別の公知の技術と組み合わせることも可能であるし、本発明の要旨を逸脱しない範囲で、一部を省略する等、変更して構成することも可能であることは無論である。
【産業上の利用可能性】
【００４７】
以上のように、本発明は、広告情報を列車内の乗客に提供する車両内情報提供装置、車両内情報提供システム、および音声データ提供方法に適用可能であり、特に、音声付動画および音声無しの動画または静止画が混在している場合でも音声を提供することが可能な発明として有用である。
【図１】
2010109583.tif 000003
【図２】
2010109583.tif 000004
【図３】
2010109583.tif 000005
【図４】
2010109583.tif 000006
【図５】
2010109583.tif 000007
【図６】
2010109583.tif 000008
【図７】
2010109583.tif 000009
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
地上送受信装置から車上送受信装置に送信された列車内広告の映像データを前記列車内の乗客に提供する車両内情報提供装置であって、
前記映像データ、前記映像データの有効期間を前記映像データ毎に対応して格納する番組表、複数の第１の音声データ、およびこの第１の音声データのそれぞれに対応する音声ファイルの識別番号であるファイル番号と音声ファイル名とを関連付けた音声リストを記憶する記憶部と、
この記憶部から前記映像データおよび前記番組表を取り込み、前記有効期間内の前記映像データに第２の音声データが含まれているか否かを判別し、前記第２の音声データを含む映像データと前記第２の音声データを含まない映像データとを判別するための情報である音声フラグを予め前記番組表に付与して、再び前記記憶部に格納する音声認識部と、
前記音声フラグを付与した番組表に基づいて、前記列車内に設けられた前記映像データを再生する表示器に対して前記映像データを送出するとともに、前記列車内に設けられ前記第１の音声データまたは前記第２の音声データを無線信号として前記乗客の音声再生装置に送信する無線送信部に対して、前記第１の音声データまたは前記第２の音声データを送出する制御部と、
を備えたことを特徴とする車両内情報提供装置。
【請求項２】
前記音声認識部は、前記映像データに前記第２の音声データが含まれている場合、前記第２の音声データを送出させることを示す第１の値を前記音声フラグとして前記番組表に付与し、前記映像データに前記第２の音声データが含まれていない場合、前記第１の音声データを送出させることを示す第２の値を前記音声フラグとして前記番組表に付与することを特徴とする請求項１に記載の車両内情報提供装置。
【請求項３】
前記音声認識部は、
前記映像データの再生時間が終了するまでに、前記第２の音声データの音声レベルが予め設定された閾値以上を示すか否か判別し、
前記音声レベルが前記閾値以上を示さない場合、前記第２の値を前記音声フラグとして前記番組表に付与し、
前記音声レベルが前記閾値以上を示した場合、前記第１の値を前記音声フラグとして前記番組表に付与することを特徴とする請求項１または２に記載の車両内情報提供装置。
【請求項４】
前記記憶部は、
複数の前記第１の音声データを前記ファイル番号毎に対応して格納する前記音声リストを記憶し、
前記音声認識部は、前記ファイル番号をランダムに選択し、選択された前記ファイル番号を前記第１の値として前記番組表の前記音声フラグに付与することを特徴とする請求項１に記載の車両内情報提供装置。
【請求項５】
前記記憶部は、前記乗客の音声再生装置で再生される音声を意図的に無音にする場合、無音の音声ファイルを前記第１の音声データとして格納するとともに、前記音声リストに当該無音の第１の音声データに対応する音声ファイル名を記録することを特徴とする請求項１に記載の車両内情報提供装置。
【請求項６】
前記制御部は、前記音声リストに複数の音声ファイル名が登録されている場合、前記ファイル番号をランダムに複数選択し、選択された前記ファイル番号に対応する音声ファイルをランダムに選択して再生することを特徴とする請求項１に記載の車両内情報提供装置。
【請求項７】
前記制御部は、前記映像データの映像再生時間の長さが、前記ランダムに選ばれた音声データよりも長い場合には、ランダムに選ばれた音声データの再生が終了した後に、映像データの再生終了まで他の音声データまたは同一の音声データを最初から続けて再生することを特徴とする請求項６に記載の車両内情報提供装置。
【請求項８】
前記地上送受信装置は、前記音声フラグに第１の値または第２の値が付与された前記番組表を前記車上送受信装置に送信することを特徴とする請求項１に記載の車両内情報提供装置。
【請求項９】
列車内広告の映像データを車上送受信装置に送信する地上送受信装置と、前記映像データを前記列車内の乗客に提供する車両内情報提供装置と、前記地上送受信装置からの前記映像データを前記車両内情報提供装置に送信する車上送受信装置とを有した車両内情報提供システムであって、
前記車両内情報提供装置は、
前記映像データ、前記映像データの有効期間を前記映像データ毎に対応して格納する番組表、複数の第１の音声データ、およびこの第１の音声データのそれぞれに対応する音声ファイルの識別番号であるファイル番号と音声ファイル名とを関連付けた音声リストを記憶する記憶部と、
この記憶部から前記映像データおよび前記番組表を取り込み、前記有効期間内の前記映像データに第２の音声データが含まれているか否かを判別し、前記第２の音声データを含む映像データと前記第２の音声データを含まない映像データとを判別するための情報である音声フラグを予め前記番組表に付与して、再び前記記憶部に格納する音声認識部と、
前記音声フラグを付与した番組表に基づいて、前記列車内に設けられた前記映像データを再生する表示器に対して前記映像データを送出するとともに、前記列車内に設けられ前記第１の音声データまたは前記第２の音声データを無線信号として前記乗客の音声再生装置に送信する無線送信部に対して、前記第１の音声データまたは前記第２の音声データを送出する制御部と、
を備えたことを特徴とする車両内情報提供システム。
【請求項１０】
前記音声認識部は、前記映像データに前記第２の音声データが含まれている場合、前記第２の音声データを送出させることを示す第１の値を前記音声フラグとして前記番組表に付与し、前記映像データに前記第２の音声データが含まれていない場合、前記第１の音声データを送出させることを示す第２の値を前記音声フラグとして前記番組表に付与することを特徴とする請求項９に記載の車両内情報提供システム。
【請求項１１】
地上送受信装置から車上送受信装置に送信された列車内広告の映像データを前記列車内の乗客に提供する車両内情報提供装置で実施される音声データ提供方法であって、
前記映像データ、前記映像データの有効期間を前記映像データ毎に対応して格納する番組表、複数の第１の音声データ、およびこの第１の音声データのそれぞれに対応する音声ファイルの識別番号であるファイル番号と音声ファイル名とを関連付けた音声リストを記憶する記憶ステップと、
前記記憶ステップにて記憶された前記映像データおよび前記番組表を取り込み、前記有効期間内の前記映像データに第２の音声データが含まれているか否かを判別し、前記第２の音声データを含む映像データと前記第２の音声データを含まない映像データとを判別するための情報である音声フラグを予め前記番組表に付与して、再び格納する音声認識ステップと、
前記音声フラグを付与した番組表に基づいて、前記列車内に設けられた前記映像データを再生する表示器に対して前記映像データを送出するとともに、前記列車内に設けられ前記第１の音声データまたは前記第２の音声データを無線信号として前記乗客の音声再生装置に送信する無線送信部に対して、前記第１の音声データまたは前記第２の音声データを送出するステップと、
を含むことを特徴とする音声データ提供方法。
【請求項１２】
前記音声認識ステップは、前記映像データに前記第２の音声データが含まれている場合、前記第２の音声データを送出させることを示す第１の値を前記音声フラグとして前記番組表に付与し、前記映像データに前記第２の音声データが含まれていない場合、前記第１の音声データを送出させることを示す第２の値を前記音声フラグとして前記番組表に付与するステップを含むこと、
を特徴とする請求項１１に記載の音声データ提供方法。
【手続補正書】
【提出日】平成23年7月27日(2011.7.27)
【手続補正１】
【補正対象書類名】明細書
【補正対象項目名】０００８
【補正方法】変更
【補正の内容】
【０００８】
上述した課題を解決し、目的を達成するために、本発明は、地上送受信装置から車上送受信装置に送信された列車内広告の映像データを前記列車内の乗客に提供する車両内情報提供装置であって、前記映像データ、前記映像データの有効期間を前記映像データのタイトルを表わす映像データ名毎に対応して格納する番組表、複数の第１の音声データ、およびこの第１の音声データのそれぞれに対応する音声ファイルの識別番号であるファイル番号と音声ファイル名とを関連付けた音声リストを記憶する記憶部と、この記憶部から前記映像データおよび前記番組表を取り込み、前記有効期間内の前記映像データに第２の音声データが含まれているか否かを判別し、前記第２の音声データを含む映像データと前記第２の音声データを含まない映像データとを判別するための情報である音声フラグを前記番組表に付与して、再び前記記憶部に格納する音声認識部と、前記音声フラグを付与した番組表に基づいて、前記列車内に設けられた前記映像データを再生する表示器に対して前記映像データを送出するとともに、前記列車内に設けられ前記第１の音声データまたは前記第２の音声データを無線信号として前記乗客の音声再生装置に送信する無線送信部に対して、前記第１の音声データまたは前記第２の音声データを送出する制御部と、を備えたことを特徴とする。
【手続補正２】
【補正対象書類名】特許請求の範囲
【補正対象項目名】全文
【補正方法】変更
【補正の内容】
【特許請求の範囲】
【請求項１】
地上送受信装置から車上送受信装置に送信された列車内広告の映像データを前記列車内の乗客に提供する車両内情報提供装置であって、
前記映像データ、前記映像データの有効期間を前記映像データのタイトルを表わす映像データ名毎に対応して格納する番組表、複数の第１の音声データ、およびこの第１の音声データのそれぞれに対応する音声ファイルの識別番号であるファイル番号と音声ファイル名とを関連付けた音声リストを記憶する記憶部と、
この記憶部から前記映像データおよび前記番組表を取り込み、前記有効期間内の前記映像データに第２の音声データが含まれているか否かを判別し、前記第２の音声データを含む映像データと前記第２の音声データを含まない映像データとを判別するための情報である音声フラグを前記番組表に付与して、再び前記記憶部に格納する音声認識部と、
前記音声フラグを付与した番組表に基づいて、前記列車内に設けられた前記映像データを再生する表示器に対して前記映像データを送出するとともに、前記列車内に設けられ前記第１の音声データまたは前記第２の音声データを無線信号として前記乗客の音声再生装置に送信する無線送信部に対して、前記第１の音声データまたは前記第２の音声データを送出する制御部と、
を備えたことを特徴とする車両内情報提供装置。
【請求項２】
前記音声認識部は、前記映像データに前記第２の音声データが含まれている場合、前記第２の音声データを送出させることを示す第１の値を前記音声フラグとして前記番組表に付与し、前記映像データに前記第２の音声データが含まれていない場合、前記第１の音声データを送出させることを示す第２の値を前記音声フラグとして前記番組表に付与することを特徴とする請求項１に記載の車両内情報提供装置。
【請求項３】
前記音声認識部は、
前記映像データの再生時間が終了するまでに、前記第２の音声データの音声レベルが予め設定された閾値以上を示すか否か判別し、
前記音声レベルが前記閾値以上を示さない場合、前記第２の値を前記音声フラグとして前記番組表に付与し、
前記音声レベルが前記閾値以上を示した場合、前記第１の値を前記音声フラグとして前記番組表に付与することを特徴とする請求項１に記載の車両内情報提供装置。
【請求項４】
前記記憶部は、
複数の前記第１の音声データを前記ファイル番号毎に対応して格納する前記音声リストを記憶し、
前記音声認識部は、前記ファイル番号をランダムに選択し、選択された前記ファイル番号を前記第１の値として前記番組表の前記音声フラグに付与することを特徴とする請求項１に記載の車両内情報提供装置。
【請求項５】
前記記憶部は、前記乗客の音声再生装置で再生される音声を意図的に無音にする場合、無音の音声ファイルを前記第１の音声データとして格納するとともに、前記音声リストに当該無音の第１の音声データに対応する音声ファイル名を記録することを特徴とする請求項１に記載の車両内情報提供装置。
【請求項６】
前記制御部は、前記音声ファイル名をランダムに選択し、選択された前記音声ファイル名に対応する前記第１の音声データを再生することを特徴とする請求項１に記載の車両内情報提供装置。
【請求項７】
前記制御部は、前記映像データの映像再生時間の長さが、前記ランダムに選ばれた前記音声ファイル名に対応する前記第１の音声データよりも長い場合には、この第１の音声データの再生が終了した後に、前記映像データの再生終了まで他の第１の音声データまたは同一の第１の音声データを最初から続けて再生することを特徴とする請求項６に記載の車両内情報提供装置。
【請求項８】
列車内広告の映像データを車上送受信装置に送信する地上送受信装置と、前記映像データを前記列車内の乗客に提供する車両内情報提供装置と、前記地上送受信装置からの前記映像データを前記車両内情報提供装置に送信する車上送受信装置とを有した車両内情報提供システムであって、
前記車両内情報提供装置は、
前記映像データ、前記映像データの有効期間を前記映像データのタイトルを表わす映像データ名毎に対応して格納する番組表、複数の第１の音声データ、およびこの第１の音声データのそれぞれに対応する音声ファイルの識別番号であるファイル番号と音声ファイル名とを関連付けた音声リストを記憶する記憶部と、
この記憶部から前記映像データおよび前記番組表を取り込み、前記有効期間内の前記映像データに第２の音声データが含まれているか否かを判別し、前記第２の音声データを含む映像データと前記第２の音声データを含まない映像データとを判別するための情報である音声フラグを前記番組表に付与して、再び前記記憶部に格納する音声認識部と、
前記音声フラグを付与した番組表に基づいて、前記列車内に設けられた前記映像データを再生する表示器に対して前記映像データを送出するとともに、前記列車内に設けられ前記第１の音声データまたは前記第２の音声データを無線信号として前記乗客の音声再生装置に送信する無線送信部に対して、前記第１の音声データまたは前記第２の音声データを送出する制御部と、
を備えたことを特徴とする車両内情報提供システム。
【請求項９】
前記音声認識部は、前記映像データに前記第２の音声データが含まれている場合、前記第２の音声データを送出させることを示す第１の値を前記音声フラグとして前記番組表に付与し、前記映像データに前記第２の音声データが含まれていない場合、前記第１の音声データを送出させることを示す第２の値を前記音声フラグとして前記番組表に付与することを特徴とする請求項８に記載の車両内情報提供システム。
【請求項１０】
地上送受信装置から車上送受信装置に送信された列車内広告の映像データを前記列車内の乗客に提供する車両内情報提供装置で実施される音声データ提供方法であって、
前記映像データ、前記映像データの有効期間を前記映像データのタイトルを表わす映像データ名毎に対応して格納する番組表、複数の第１の音声データ、およびこの第１の音声データのそれぞれに対応する音声ファイルの識別番号であるファイル番号と音声ファイル名とを関連付けた音声リストを記憶する記憶ステップと、
前記記憶ステップにて記憶された前記映像データおよび前記番組表を取り込み、前記有効期間内の前記映像データに第２の音声データが含まれているか否かを判別し、前記第２の音声データを含む映像データと前記第２の音声データを含まない映像データとを判別するための情報である音声フラグを前記番組表に付与して、再び格納する音声認識ステップと、
前記音声フラグを付与した番組表に基づいて、前記列車内に設けられた前記映像データを再生する表示器に対して前記映像データを送出するとともに、前記列車内に設けられ前記第１の音声データまたは前記第２の音声データを無線信号として前記乗客の音声再生装置に送信する無線送信部に対して、前記第１の音声データまたは前記第２の音声データを送出するステップと、
を含むことを特徴とする音声データ提供方法。
【請求項１１】
前記音声認識ステップは、前記映像データに前記第２の音声データが含まれている場合、前記第２の音声データを送出させることを示す第１の値を前記音声フラグとして前記番組表に付与し、前記映像データに前記第２の音声データが含まれていない場合、前記第１の音声データを送出させることを示す第２の値を前記音声フラグとして前記番組表に付与するステップを含むこと、
を特徴とする請求項１０に記載の音声データ提供方法。
【国際調査報告】
2010109583.tif 000010
2010109583.tif 000011
2010109583.tif 000012
2010109583.tif 000013